(57)【特許請求の範囲】
【請求項１】
回転ヘッドにより磁気テープにデジタルデータを記録する磁気テープ記録装置において、
映像データ、音声データ及びサーチデータのうち少なくとも一つを取得する第１の取得手段と、
前記第１の取得手段により取得されたデータに関連する可変長の補助データを取得する第２の取得手段と、
前記第１の取得手段及び前記第２の取得手段により取得されたデータのうち少なくとも一つを第１のグループのデータとして選択する選択手段と、
前記第１のグループのデータに関連するサブコードを含む第２のグループのデータを取得する第３の取得手段と、
前記第１のグループのデータと前記第２のグループのデータを、前記磁気テープのトラック上において、両者の間が離間せずに連続するように合成する合成手段と、
前記合成手段により合成されたデータを前記磁気テープに記録するために前記回転ヘッドに供給する供給手段と
を備え、
前記第２の取得手段は、前記第２のグループのデータとして、前記音声データに関する補助データと、前記映像データに関する補助データを取得し、
前記合成手段は、さらに、前記磁気テープの一連の複数の前記トラック上に分割して配置される所定数分のピクチャを１つの単位として、前記単位分のピクチャの前記映像データに関する補助データと、前記単位分のピクチャに対応する前記音声データに関する補助データとが、前記複数のトラックのうちの所定のトラック上に配置されるように、前記複数のトラックのそれぞれにおいて、前記第１のグループのデータ及び前記第２のグループのデータを合成する
磁気テープ記録装置。
【請求項２】
前記合成手段は、さらに、前記磁気テープのトラック上において、前記第１のグループのデータ及び前記第２のグループのデータの集合を挟んでプリアンブルとポストアンブルが配置されるように、前記第１のグループのデータ、前記第２のグループのデータ、前記プリアンブル、及び前記ポストアンブルを合成する
請求項１に記載の磁気テープ記録装置。
【請求項３】
前記合成手段は、映像データ、音声データ、及びサーチデータのうち前記第１のグループのデータに含まれているデータを示す情報を、前記第１のグループのデータに含めて、前記第１のグループのデータ及び前記第２のグループのデータを合成する
請求項１に記載の磁気テープ記録装置。
【請求項４】
前記第１の取得手段は、前記第１のグループのデータとして、前記映像データを、その編集単位で取得する
請求項１に記載の磁気テープ記録装置。
【請求項５】
前記第２の取得手段は、前記第２のグループのデータとして、前記音声データに関する補助データと、前記映像データに関する補助データを取得し、
前記合成手段は、前記音声データに関する補助データ、前記音声データ、前記映像データに関する補助データ、そして前記映像データの順番に配置されるようにそれぞれ合成する
請求項１に記載の磁気テープ記録装置。
【請求項６】
前記第２の取得手段は、プリ再生に必要な補助データをさらに取得し、
前記合成手段は、前記プリ再生に必要な補助データを、前記映像データの編集単位の先頭に配置されるように合成する
請求項１に記載の磁気テープ記録装置。
【請求項７】
前記プリ再生に必要な補助データは、サブコードセクタに記録されている内容を含む
請求項６に記載の磁気テープ記録装置。
【請求項８】
回転ヘッドにより磁気テープにデジタルデータを記録する磁気テープ記録装置の磁気テープ記録方法において、
映像データ、音声データ及びサーチデータのうち少なくとも一つを取得する第１の取得ステップと、
前記第１の取得ステップの処理で取得されたデータに関連する可変長の補助データを取得する第２の取得ステップと、
前記第１の取得ステップの処理及び前記第２の取得ステップの処理で取得されたデータのうち少なくとも一つを第１のグループのデータとして選択する選択ステップと、
前記第１のグループのデータに関連するサブコードを含む第２のグループのデータを取得する第３の取得ステップと、
前記第１のグループのデータと前記第２のグループのデータを、前記磁気テープのトラック上において、両者の間が離間せずに連続するように合成する合成ステップと、
前記合成ステップの処理で合成されたデータを前記磁気テープに記録するために前記回転ヘッドに供給する供給ステップと
を含み、
前記第２の取得ステップでは、前記第２のグループのデータとして、前記音声データに関する補助データと、前記映像データに関する補助データを取得し、
前記合成ステップでは、さらに、前記磁気テープの一連の複数の前記トラック上に分割して配置される所定数分のピクチャを１つの単位として、前記単位分のピクチャの前記映像データに関する補助データと、前記単位分のピクチャに対応する前記音声データに関する補助データとが、前記複数のトラックのうちの所定のトラック上に配置されるように、前記複数のトラックのそれぞれにおいて、前記第１のグループのデータ及び前記第２のグループのデータを合成する
磁気テープ記録方法。
【請求項９】
回転ヘッドにより磁気テープにデジタルデータを記録する磁気テープ記録装置を制御するプログラムにおいて、
映像データ、音声データ及びサーチデータのうち少なくとも一つを取得する第１の取得ステップと、
前記第１の取得ステップの処理で取得されたデータに関連する可変長の補助データを取得する第２の取得ステップと、
前記第１の取得ステップの処理及び前記第２の取得ステップの処理で取得されたデータのうち少なくとも一つを第１のグループのデータとして選択する選択ステップと、
前記第１のグループのデータに関連するサブコードを含む第２のグループのデータを取得する第３の取得ステップと、
前記第１のグループのデータと前記第２のグループのデータを、前記磁気テープのトラック上において、両者の間が離間せずに連続するように合成する合成ステップと、
前記合成ステップの処理で合成されたデータを前記磁気テープに記録するために前記回転ヘッドに供給する供給ステップと
を含み、
前記第２の取得ステップでは、前記第２のグループのデータとして、前記音声データに関する補助データと、前記映像データに関する補助データを取得し、
前記合成ステップでは、さらに、前記磁気テープの一連の複数の前記トラック上に分割して配置される所定数分のピクチャを１つの単位として、前記単位分のピクチャの前記映像データに関する補助データと、前記単位分のピクチャに対応する前記音声データに関する補助データとが、前記複数のトラックのうちの所定のトラック上に配置されるように、前記複数のトラックのそれぞれにおいて、前記第１のグループのデータ及び前記第２のグループのデータを合成する
コンピュータが読み取り可能なプログラムが記録されている記録媒体。
【請求項１０】
回転ヘッドによりデジタルデータが記録される磁気テープにおいて、
映像データ、音声データまたはサーチデータ、および、前記映像データ、前記音声データまたは前記サーチデータに関連する可変長の補助データのうちの少なくとも一つの第１のグループのデータ、および前記第１のグループのデータに関連するサブコードを含む第２のグループのデータが、トラック上において、両者の間が離間せずに連続するように記録されていると共に、前記磁気テープの一連の複数の前記トラック上に分割して配置される所定数分のピクチャを１つの単位として、前記単位分のピクチャの前記第２のグループのデータとしての前記映像データに関する補助データと、前記単位分のピクチャに対応する前記第２のグループのデータとしての前記音声データに関する補助データとが、前記複数のトラックのうちの所定のトラック上に配置されるように、前記複数のトラックのそれぞれにおいて、前記第１のグループのデータ及び前記第２のグループのデータが記録されている
磁気テープ。
【請求項１１】
磁気テープを回転ヘッドにより再生する磁気テープ再生装置において、
前記磁気テープには、圧縮されている高品位もしくは標準の映像データ、音声データまたはサーチデータ、及び、前記映像データ、前記音声データまたは前記サーチデータに関連する可変長の補助データのうちの少なくとも一つの第１のグループのデータと、前記第１のグループのデータに関連するサブコードを含む第２のグループのデータが、トラック上において、両者の間が離間せずに連続するように記録されていると共に、前記磁気テープの一連の複数の前記トラック上に分割して配置される所定数分のピクチャを１つの単位として、前記単位分のピクチャの前記第２のグループのデータとしての前記映像データに関する補助データと、前記単位分のピクチャに対応する前記第２のグループのデータとしての前記音声データに関する補助データとが、前記複数のトラックのうちの所定のトラック上に配置されるように、前記複数のトラックのそれぞれにおいて、前記第１のグループのデータ及び前記第２のグループのデータが記録されており、
前記回転ヘッドにより前記磁気テープから再生されたデータから、前記第１のグループのデータとしての前記補助データ、または前記第２のグループのデータを取得する取得手段と、
前記取得手段により取得された前記補助データまたは前記第２のグループのデータを利用して、前記回転ヘッドにより前記磁気テープから再生されたデータのうち、圧縮されている前記高品位の映像データを伸長する伸長手段と
を備える磁気テープ再生装置。
【請求項１２】
磁気テープを回転ヘッドにより再生する磁気テープ再生装置の磁気テープ再生方法において、
前記磁気テープには、圧縮されている高品位もしくは標準の映像データ、音声データまたはサーチデータ、及び、前記映像データ、前記音声データまたは前記サーチデータに関連する可変長の補助データのうちの少なくとも一つの第１のグループのデータと、前記第１のグループのデータに関連するサブコードを含む第２のグループのデータが、トラック上において、両者の間が離間せずに連続するように記録されていると共に、前記磁気テープの一連の複数の前記トラック上に分割して配置される所定数分のピクチャを１つの単位として、前記単位分のピクチャの前記第２のグループのデータとしての前記映像データに関する補助データと、前記単位分のピクチャに対応する前記第２のグループのデータとしての前記音声データに関する補助データとが、前記複数のトラックのうちの所定のトラック上に配置されるように、前記複数のトラックのそれぞれにおいて、前記第１のグループのデータ及び前記第２のグループのデータが記録されており、
前記回転ヘッドにより前記磁気テープから再生されたデータから、前記第１のグループのデータとしての前記補助データ、または前記第２のグループのデータを取得する取得ステップと、
前記取得ステップの処理で取得された前記補助データおよび前記第２のグループのデータを利用して、前記回転ヘッドにより前記磁気テープから再生されたデータのうち、圧縮されている前記高品位の映像データを伸長する伸長ステップと
を含む磁気テープ再生方法。
【請求項１３】
磁気テープを回転ヘッドにより再生する磁気テープ再生装置を制御するプログラムにおいて、
前記磁気テープには、圧縮されている高品位もしくは標準の映像データ、音声データまたはサーチデータ、及び、前記映像データ、前記音声データまたは前記サーチデータに関連する可変長の補助データのうちの少なくとも一つの第１のグループのデータと、前記第１のグループのデータに関連するサブコードを含む第２のグループのデータが、トラック上において、両者の間が離間せずに連続するように記録されていると共に、前記磁気テープの一連の複数の前記トラック上に分割して配置される所定数分のピクチャを１つの単位として、前記単位分のピクチャの前記第２のグループのデータとしての前記映像データに関する補助データと、前記単位分のピクチャに対応する前記第２のグループのデータとしての前記音声データに関する補助データとが、前記複数のトラックのうちの所定のトラック上に配置されるように、前記複数のトラックのそれぞれにおいて、前記第１のグループのデータ及び前記第２のグループのデータが記録されており、
前記回転ヘッドにより前記磁気テープから再生されたデータから、前記第１のグループのデータとしての前記補助データ、または前記第２のグループのデータを取得する取得ステップと、
前記取得ステップの処理で取得された前記補助データおよび前記第２のグループのデータを利用して、前記回転ヘッドにより前記磁気テープから再生されたデータのうち、圧縮されている前記高品位の映像データを伸長する伸長ステップと
を含むコンピュータが読み取り可能なプログラムが記録されている記録媒体。
【発明の詳細な説明】
【０００１】
【発明の属する技術分野】
本発明は、磁気テープ記録装置および方法、磁気テープ再生装置および方法、磁気テープ、並びに記録媒体に関し、特に、高品位の映像データを磁気テープに記録または再生できるようにした、磁気テープ記録装置および方法、磁気テープ再生装置および方法、磁気テープ、並びに記録媒体に関する。
【０００２】
【従来の技術】
最近、圧縮技術が進み、映像データなども、例えば、DV（Digital Video）方式により圧縮され、磁気テープに記録されるようになってきた。そのためのフォーマットが、民生用デジタルビデオテープレコーダのDVフォーマットとして規定されている。
【０００３】
図１は、従来のDVフォーマットの１トラックの構成を表している。なお、DVフォーマットにおいては、映像データは、２４−２５変換されて記録されるが、図１に示す数字のビット数は、２４−２５変換された後の数値を表している。
【０００４】
磁気テープの１７４度の巻き付け角に対応する範囲が、実質的な１トラックの範囲とされる。この１トラックの範囲の外には、１２５０ビットの長さのオーバーライトマージンが形成されている。このオーバーライトマージンは、データの消し残りをなくすためのものである。
【０００５】
１トラックの範囲の長さは、６０×１０００／１００１Hzの周波数に同期して回転ヘッドが回転される場合、１３４９７５ビットとされ、６０Hzの周波数に同期して回転ヘッドが回転される場合、１３４８５０ビットとされる。
【０００６】
この１トラックには、磁気ヘッドのトレース方向（図１において、左から右方向）に、ITIセクタ、オーディオセクタ、ビデオセクタ、サブコードセクタが順次配置され、ITIセクタとオーディオセクタの間にはギャップＧ１が、オーディオセクタとビデオセクタの間にはギャップＧ２が、そしてビデオセクタとサブコードセクタの間にはギャップＧ３が、それぞれ形成される。
【０００７】
ITI（Insert and Track Information)セクタは、３６００ビットの長さとされ、その先頭にはクロックを生成するための１４００ビットのプリアンブルが配置され、その次にはSSA（Start Sync Area）とTIA（Track Information Area）が１９２０ビット分の長さ設けられている。SSAには、TIAの位置を検出するために必要なビット列（シンク番号）が配置されている。TIAには民生用のDVフォーマットであることを示す情報、SPモードまたはLPモードであることを表す情報、１フレームのパイロット信号のパターンを表す情報などが記録されている。TIAの次には、２８０ビットのポストアンブルが配置されている。
【０００８】
ギャップＧ１の長さは、６２５ビット分とされている。
【０００９】
オーディオセクタは１１５５０ビットの長さとされ、その先頭の４００ビットと最後の５００ビットは、それぞれプリアンブルまたはポストアンブルとされ、その間の１０６５０ビットがデータ（オーディオデータ）とされる。
【００１０】
ギャップＧ２は、７００ビットの長さとされる。
【００１１】
ビデオセクタは１１３２２５ビットとされ、その先頭の４００ビットと最後の９２５ビットが、それぞれプリアンブルまたはポストアンブルとされ、その間の１１１９００ビットがデータ（ビデオデータ）とされる。
【００１２】
ギャップＧ３の長さは、１５５０ビットとされる。
【００１３】
サブコードセクタは、回転ヘッドが６０×１０００／１００１Hzの周波数で回転されるとき、３７２５ビットとされ、６０Hz周波数で回転されるとき、３６００ビットとされる。そのうちの先頭の１２００ビットは、プリアンブルとされ、最後の１３２５ビット（回転ヘッドが６０×１０００／１００１Hzの周波数で回転される場合）、または１２００ビット（回転ヘッドが６０Hzの周波数で回転される場合）とされ、その間の１２００ビットがデータ（サブコード）とされる。
【００１４】
【発明が解決しようとする課題】
DVフォーマットにおいては、このように、ITIセクタ、オーディオセクタ、ビデオセクタ、およびサブコードセクタの間に、ギャップＧ１乃至Ｇ３が形成されているばかりでなく、各セクタ毎にプリアンブルとポストアンブルが設けられており、いわゆるオーバーヘッドが多く、実質的なデータの記録レートを充分に得ることができない課題があった。
【００１５】
その結果、例えば、高品位の映像データ（以下、HD（High Definition）映像データと称する）を記録するには、２５Mbps程度のビットレートが必要であるが、この記録フォーマットでは、MPEG（Moving Picture Expert Group）方式のMP@HLに対するビデオレートは、サーチ画像用データを除くと、せいぜい２４Mbps程度しか確保できず、結果的に、標準の品位の映像データ（以下、SD（Standard Definition）映像データと称する）は記録できても、HD映像データをMP@HL、MP@H−１４方式などで圧縮して記録することができない課題があった。
【００１６】
本発明はこのような状況に鑑みてなされたものであり、HDデータを記録または再生できるようにするものである。
【００１７】
【課題を解決するための手段】
本発明の磁気テープ記録装置は、映像データ、音声データ及びサーチデータのうち少なくとも一つを取得する第１の取得手段と、第１の取得手段により取得されたデータに関連する可変長の補助データを取得する第２の取得手段と、第１の取得手段及び第２の取得手段により取得されたデータのうち少なくとも一つを第１のグループのデータとして選択する選択手段と、第１のグループのデータに関連するサブコードを含む第２のグループのデータを取得する第３の取得手段と、第１のグループのデータと第２のグループのデータを、磁気テープのトラック上において、両者の間が離間せずに連続するように合成する合成手段と、合成手段により合成されたデータを磁気テープに記録するために回転ヘッドに供給する供給手段とを備え、第２の取得手段は、第２のグループのデータとして、音声データに関する補助データと、映像データに関する補助データを取得し、合成手段は、さらに、磁気テープの一連の複数のトラック上に分割して配置される所定数分のピクチャを１つの単位として、単位分のピクチャの映像データに関する補助データと、単位分のピクチャに対応する音声データに関する補助データとが、複数のトラックのうちの所定のトラック上に配置されるように、複数のトラックのそれぞれにおいて、第１のグループのデータ及び第２のグループのデータを合成する。
合成手段は、さらに、磁気テープのトラック上において、第１のグループのデータ及び第２のグループのデータの集合を挟んでプリアンブルとポストアンブルが配置されるように、第１のグループのデータ、第２のグループのデータ、プリアンブル、及びポストアンブルを合成する。
合成手段は、映像データ、音声データ、及びサーチデータのうち第１のグループのデータに含まれているデータを示す情報を、第１のグループのデータに含めて、第１のグループのデータ及び第２のグループのデータを合成する。 
【００１８】
第１の取得手段は、第１のグループのデータとして、映像データを、その編集単位で取得することができる。
【００１９】
第２の取得手段は、第２のグループのデータとして、音声データに関する補助データと、映像データに関する補助データを取得し、合成手段は、音声データに関する補助データ、音声データ、映像データに関する補助データ、そして映像データの順番に配置されるようにそれぞれ合成する。
【００２０】
第２の取得手段は、プリ再生に必要な補助データをさらに取得し、合成手段は、プリ再生に必要な補助データを、映像データの編集単位の先頭に配置されるように合成することができる。
【００２１】
プリ再生に必要な補助データは、サブコードセクタに記録されている内容を含む。
【００２２】
本発明の磁気テープ記録方法は、映像データ、音声データ及びサーチデータのうち少なくとも一つを取得する第１の取得ステップと、第１の取得ステップの処理で取得されたデータに関連する可変長の補助データを取得する第２の取得ステップと、第１の取得ステップの処理及び第２の取得ステップの処理で取得されたデータのうち少なくとも一つを第１のグループのデータとして選択する選択ステップと、第１のグループのデータに関連するサブコードを含む第２のグループのデータを取得する第３の取得ステップと、第１のグループのデータと第２のグループのデータを、磁気テープのトラック上において、両者の間が離間せずに連続するように合成する合成ステップと、合成ステップの処理で合成されたデータを磁気テープに記録するために回転ヘッドに供給する供給ステップとを含み、第２の取得ステップでは、第２のグループのデータとして、音声データに関する補助データと、映像データに関する補助データを取得し、合成ステップでは、さらに、磁気テープの一連の複数のトラック上に分割して配置される所定数分のピクチャを１つの単位として、単位分のピクチャの映像データに関する補助データと、単位分のピクチャに対応する音声データに関する補助データとが、複数のトラックのうちの所定のトラック上に配置されるように、複数のトラックのそれぞれにおいて、第１のグループのデータ及び第２のグループのデータを合成する。
【００２３】
本発明の記録媒体のプログラムは、映像データ、音声データ及びサーチデータのうち少なくとも一つを取得する第１の取得ステップと、第１の取得ステップの処理で取得されたデータに関連する可変長の補助データを取得する第２の取得ステップと、第１の取得ステップの処理及び第２の取得ステップの処理で取得されたデータのうち少なくとも一つを第１のグループのデータとして選択する選択ステップと、第１のグループのデータに関連するサブコードを含む第２のグループのデータを取得する第３の取得ステップと、第１のグループのデータと第２のグループのデータを、磁気テープのトラック上において、両者の間が離間せずに連続するように合成する合成ステップと、合成ステップの処理で合成されたデータを磁気テープに記録するために回転ヘッドに供給する供給ステップとを含み、第２の取得ステップでは、第２のグループのデータとして、音声データに関する補助データと、映像データに関する補助データを取得し、合成ステップでは、さらに、磁気テープの一連の複数のトラック上に分割して配置される所定数分のピクチャを１つの単位として、単位分のピクチャの映像データに関する補助データと、単位分のピクチャに対応する音声データに関する補助データとが、複数のトラックのうちの所定のトラック上に配置されるように、複数のトラックのそれぞれにおいて、第１のグループのデータ及び第２のグループのデータを合成する。
【００２４】
本発明の磁気テープは、映像データ、音声データまたはサーチデータ、および、映像データ、音声データまたはサーチデータに関連する可変長の補助データのうちの少なくとも一つの第１のグループのデータ、および第１のグループのデータに関連するサブコードを含む第２のグループのデータが、トラック上において、両者の間が離間せずに連続するように記録されていると共に、磁気テープの一連の複数のトラック上に分割して配置される所定数分のピクチャを１つの単位として、単位分のピクチャの第２のグループのデータとしての映像データに関する補助データと、単位分のピクチャに対応する第２のグループのデータとしての音声データに関する補助データとが、複数のトラックのうちの所定のトラック上に配置されるように、複数のトラックのそれぞれにおいて、第１のグループのデータ及び第２のグループのデータが記録されている。
【００２５】
本発明の磁気テープ記録装置、磁気テープ記録方法、および記録媒体のプログラムにおいては、映像データ、音声データ及びサーチデータのうち少なくとも一つが取得され、取得されたデータに関連する可変長の補助データが取得され、それらの取得されたデータのうち少なくとも一つが第１のグループのデータとして選択され、第１のグループのデータに関連するサブコードを含む第２のグループのデータが取得され、第１のグループのデータと第２のグループのデータが、磁気テープのトラック上において、両者の間が離間せずに連続するように合成され、合成されたデータが磁気テープに記録するために回転ヘッドに供給される。第２のグループのデータとしては、音声データに関する補助データと、映像データに関する補助データが取得される。データの合成においては、磁気テープの一連の複数のトラック上に分割して配置される所定数分のピクチャを１つの単位として、単位分のピクチャの映像データに関する補助データと、単位分のピクチャに対応する音声データに関する補助データとが、複数のトラックのうちの所定のトラック上に配置されるように、複数のトラックのそれぞれにおいて、第１のグループのデータ及び第２のグループのデータが合成される。
【００２６】
本発明の磁気テープ再生装置は、磁気テープには、圧縮されている高品位もしくは標準の映像データ、音声データまたはサーチデータ、及び、映像データ、音声データまたはサーチデータに関連する可変長の補助データのうちの少なくとも一つの第１のグループのデータと、第１のグループのデータに関連するサブコードを含む第２のグループのデータが、トラック上において、両者の間が離間せずに連続するように記録されていると共に、磁気テープの一連の複数のトラック上に分割して配置される所定数分のピクチャを１つの単位として、単位分のピクチャの第２のグループのデータとしての映像データに関する補助データと、単位分のピクチャに対応する第２のグループのデータとしての音声データに関する補助データとが、複数のトラックのうちの所定のトラック上に配置されるように、複数のトラックのそれぞれにおいて、第１のグループのデータ及び第２のグループのデータが記録されており、回転ヘッドにより磁気テープから再生されたデータから、第１のグループのデータとしての補助データ、または第２のグループのデータを取得する取得手段と、取得手段により取得された補助データまたは第２のグループのデータを利用して、回転ヘッドにより磁気テープから再生されたデータのうち、圧縮されている高品位の映像データを伸長する伸長手段とを備える。
【００２７】
本発明の磁気テープ再生方法は、磁気テープには、圧縮されている高品位もしくは標準の映像データ、音声データまたはサーチデータ、及び、映像データ、音声データまたはサーチデータに関連する可変長の補助データのうちの少なくとも一つの第１のグループのデータと、第１のグループのデータに関連するサブコードを含む第２のグループのデータが、トラック上において、両者の間が離間せずに連続するように記録されていると共に、磁気テープの一連の複数のトラック上に分割して配置される所定数分のピクチャを１つの単位として、単位分のピクチャの第２のグループのデータとしての映像データに関する補助データと、単位分のピクチャに対応する第２のグループのデータとしての音声データに関する補助データとが、複数のトラックのうちの所定のトラック上に配置されるように、複数のトラックのそれぞれにおいて、第１のグループのデータ及び第２のグループのデータが記録されており、回転ヘッドにより磁気テープから再生されたデータから、第１のグループのデータとしての補助データ、または第２のグループのデータを取得する取得ステップと、取得ステップの処理で取得された補助データおよび第２のグループのデータを利用して、回転ヘッドにより磁気テープから再生されたデータのうち、圧縮されている高品位の映像データを伸長する伸長ステップとを含む。
【００２８】
本発明の記録媒体のプログラムは、磁気テープには、圧縮されている高品位もしくは標準の映像データ、音声データまたはサーチデータ、及び、映像データ、音声データまたはサーチデータに関連する可変長の補助データのうちの少なくとも一つの第１のグループのデータと、第１のグループのデータに関連するサブコードを含む第２のグループのデータが、トラック上において、両者の間が離間せずに連続するように記録されていると共に、磁気テープの一連の複数のトラック上に分割して配置される所定数分のピクチャを１つの単位として、単位分のピクチャの第２のグループのデータとしての映像データに関する補助データと、単位分のピクチャに対応する第２のグループのデータとしての音声データに関する補助データとが、複数のトラックのうちの所定のトラック上に配置されるように、複数のトラックのそれぞれにおいて、第１のグループのデータ及び第２のグループのデータが記録されており、回転ヘッドにより磁気テープから再生されたデータから、第１のグループのデータとしての補助データ、または第２のグループのデータを取得する取得ステップと、取得ステップの処理で取得された補助データおよび第２のグループのデータを利用して、回転ヘッドにより磁気テープから再生されたデータのうち、圧縮されている高品位の映像データを伸長する伸長ステップとを含む。
【００２９】
本発明の磁気テープ再生装置、磁気テープ再生方法、および記録媒体のプログラムにおいては、磁気テープには、圧縮されている高品位もしくは標準の映像データ、音声データまたはサーチデータ、及び、映像データ、音声データまたはサーチデータに関連する可変長の補助データのうちの少なくとも一つの第１のグループのデータと、第１のグループのデータに関連するサブコードを含む第２のグループのデータが、トラック上において、両者の間が離間せずに連続するように記録されていると共に、磁気テープの一連の複数のトラック上に分割して配置される所定数分のピクチャを１つの単位として、単位分のピクチャの第２のグループのデータとしての映像データに関する補助データと、単位分のピクチャに対応する第２のグループのデータとしての音声データに関する補助データとが、複数のトラックのうちの所定のトラック上に配置されるように、複数のトラックのそれぞれにおいて、第１のグループのデータ及び第２のグループのデータが記録されており、回転ヘッドにより磁気テープから再生されたデータから、第１のグループのデータとしての補助データ、または第２のグループのデータが取得され、取得された補助データまたは第２のグループのデータを利用して、回転ヘッドにより磁気テープから再生されたデータのうち、圧縮されている高品位の映像データが伸長される。
【００３０】
【発明の実施の形態】
図２は、本発明を適用した磁気テープ記録再生装置の記録系の構成例を表している。映像データ圧縮部１は、入力されたHD映像信号を、MP@HLあるいはMP@H-14などのMPEG方式で圧縮する。
【００３１】
音声データ圧縮部２は、HD映像信号に対応する音声信号を、例えば、MPEG１  layer２あるいはＡＡＣに準拠した方式などの音声圧縮を行う。これにより、音声信号は、２５６Kbps乃至３８４Kbpsに圧縮される。
【００３２】
端子３には、AUX（補助）データや、サブコードデータなどで構成されるシステムデータが、コントローラ１３から入力される。システムデータとは、映像、音声の付加データとして外部から入力された著作権、撮影状況等のテキスト情報、サーチや編集等を補助するタイトルタイムコード（TTC）、トラック位置情報、装置の設定情報などを示すデータである。
【００３３】
スイッチ４は、コントローラ１３により切り換えられ、映像データ圧縮部１の出力、音声データ圧縮部２の出力、または端子３から供給されるシステムデータを所定のタイミングで適宜選択し、誤り符号ID付加部５に供給する。
【００３４】
誤り符号ID付加部５は、スイッチ４を介して入力されたデータに、誤り検出訂正符号やIDを付加したり、１６トラックの間でのインタリーブ処理を施し、２４−２５変換部６に出力する。
【００３５】
２４−２５変換部６は、トラッキング用のパイロット信号の成分が強くでるように選ばれた冗長な１ビットを付加することで、入力された２４ビット単位のデータを、２５ビット単位のデータに変換する。
【００３６】
シンク発生部７は、後述するメインデータ（図９）またはサブコード（図２２）に付加するシンクデータ、並びにアンブルのデータを発生する。
【００３７】
スイッチ８はコントローラ１３により制御され、２４−２５変換部６の出力またはシンク発生部７の出力の一方を選択し、変調部９に出力する。
【００３８】
変調部９は、スイッチ８を介して入力されたデータを、１または０が連続しないようにランダマイズするとともに、磁気テープ２１に記録するのに適した方式(DVフォーマットにおける場合と同一の方式)で変調し、パラレルシリアル（P/S）変換部１０に供給する。
【００３９】
パラレルシリアル変換部１０は、入力されたデータを、パラレルデータからシリアルデータに変換する。
【００４０】
増幅器１１は、パラレルシリアル変換部１０より入力されたデータを増幅し、回転ドラム（図示せず）に取り付けられ、回転される回転ヘッド１２に供給し、磁気テープ２１に記録させる。
【００４１】
図３は、磁気テープ２１に、回転ヘッド１２により形成されるトッラクのフォーマットを表している。回転ヘッド１２は、図中右下から、左上方向に、磁気テープ２１をトレースすることで、磁気テープ２１の長手方向に対して傾斜したトラックを形成する。磁気テープ２１は、図中、右から左方向に移送される。
【００４２】
各トラックは、そこに記録されるトラッキング制御のためのパイロット信号の種類に応じて、Ｆ０，Ｆ１またはＦ２のいずれかとされる。トラックはＦ０，Ｆ１，Ｆ０，Ｆ２，Ｆ０，Ｆ１，Ｆ０，Ｆ２の順に形成される。
【００４３】
トラックＦ０には、図４に示すように、周波数ｆ１，ｆ２のパイロット信号がいずれも記録されていない。これに対してトラックＦ１に、図５に示すように、周波数ｆ１のパイロット信号が記録されており、トラックＦ２には、図６に示すように、周波数ｆ２のパイロット信号が記録されている。
【００４４】
周波数ｆ１，ｆ２は、それぞれチャネルビットの記録周波数の１／９０または１／６０の値とされている。
【００４５】
図４に示すように、トッラクＦ０の周波数ｆ１，ｆ２におけるノッチ部の深さは、９dBとされている。これに対して、図５または図６に示すように、周波数ｆ１、または周波数ｆ２のパイロット信号のCNR（Carrier to Noise Ratio）は、１６dBより大きく、１９dBより小さい値とされる。そしてその周波数ｆ１，ｆ２のノッチ部の深さは、３dBより大きい値とされる。
【００４６】
この周波数特性を有するトラックパターンは、DVフォーマットと同様のトラックパターンである。また、記録レートは、１秒間に３００トラックとする約４０Mbpsである。従って、民生用デジタルビデオテープレコーダの磁気テープ、回転ヘッド、駆動系、復調系、制御系が、この実施の形態においても、そのまま利用することができる。
【００４７】
また、各トラックには、トラックペア番号が設定されている。トラックペア番号は、トラックペアとされる、プラス側のアジマスとマイナス側のアジマスの２つのヘッドにより走査される２つのトラックに与えられる番号である。図３の例では、０番乃至３１番のトラックペア番号が与えられ、インタリーブされる１６トラックの先頭のトラックペアには、０番、８番、１６番、または２４番（１６番および２４番が設定されたトラックペアは図示されていない）のトラックペア番号が設定される。
【００４８】
図７は、各トッラクのセクタフォーマット（セクタ配置）の例を示している。なお、図７において、各部の長さのビット数は、２４−２５変換後の長さで表されている。１トラックの長さは、回転ヘッド１２が、６０×１０００／１００１Hzの周波数で回転されるとき、１３４９７５ビットとされ、６０Hzの周波数で回転されるとき、１３４８５０ビットとされる。１トラックの長さとは、磁気テープ２１の１７４度の巻き付け角に対応する長さであり、その後ろには、１２５０ビットのオーバーライトマージンが形成される。このオーバーライトマージンは、消し残りを防止するものである。
【００４９】
図７において、回転ヘッド１２は、左から右方向にトッラクをトレースする。その先頭には、１８００ビットのプリアンブルが配置されている。このプリアンブルにはクロックを生成するのに必要な、例えば、図８に示すようなパターンＡとパターンＢに示すデータが組み合わされて記録される。パターンＡとパターンＢは、それぞれの０と１の値が逆になったパターンとされている。このパターンを適当に組み合わせることにより、図４乃至図６に示すトラックＦ０，Ｆ１，Ｆ２のトラッキングパターンを実現することができる。なお、この図８のランパターンは、図２の２４−２５変換部６により２４−２５変換された後のパターンを表している。
【００５０】
１８００ビットのプリアンブルの次には、１３０４２５ビットの長さのメインセクタが配置されている。このメインセクタの構造は図９に示されている。このメインセクタは、通常再生およびサーチ再生される。
【００５１】
同図に示すように、メインセクタは１４１個のシンクブロックで構成され、各シンクブロックの長さは、８８８ビット（１１１バイト）とされる。
【００５２】
最初の１２３個のシンクブロックは、１６ビットのシンク、２４ビットのID、８ビットのシンクブロック（SB）ヘッダ、７６０ビットのメインデータ、そして８０ビットのパリティＣ１とされる。
【００５３】
シンクは、シンク発生部７により発生される。
【００５４】
IDは、図１０（Ａ）に示すように、それぞれ１バイトの長さの、３つのID0乃至ID2から構成されている。
【００５５】
ID0のｂ7乃至ｂ0のうち、ｂ7乃至b５には、トラックのフォーマットタイプが定義され、ｂ4乃至ｂ0には、トラックペア番号が示されている。
【００５６】
トラックフォーマットは、図７に示したものの他、例えば、ITIセクタがさらに設けられ、メインセクタが１３９シンクブロックからなるフォーマットや、ITIセクタおよび７個のシンクブロックのアフレコ用セクタがさらに設けられ、メインセクタが１２９シンクブロックからなるフォーマットなどを利用することもできる。すなわち、ID0のｂ7乃至ｂ5には、利用可能なフォーマットを識別するためのID等が配置される。このようにして、トラックフォーマットを識別することができるようにしておくことより、フォーマットに適応した復調処理を実行することができ、データを適切に再生することが可能となる。
【００５７】
ID１には、シンクブロック番号が配置される。
【００５８】
ID2には、メインセクタに記録されているデータが、新規に記録されたものか（何も記録されていないところにはじめて記録されたものか）、または上書き記録されたものか（何らかのデータにオーバーライトされたものか）を示す情報が、オーバーライトプロテクトとして配置される。例えば、上書き記録をする場合において、下地データが、ヘッドの瞬時クロッグ等により残っていたとき、新たに記録されるデータが、そのパリティＣ１が成立することより、訂正（誤訂正）される。そこで、それを防止するために、このオーバーライトプロテクトにより、新たに記録されたデータとの区別し、例えば、下地データと判断されたとき、このシンクブロックを全て無効（バーストエラー扱い）として、パリティＣ２によりイレージャ訂正を行うことができる。
【００５９】
図１０（Ｂ）は、１４１シンクブロックのそれぞれに含まれるID0乃至ID2を表している。ID0乃至ID2は、誤り符号ID付加部５により付加される。
【００６０】
SBヘッダは、図１１に示すように、ｂ7乃至ｂ0の８ビットで構成されている。ｂ7乃至ｂ0のうち、ｂ7乃至ｂ5には、メインデータの種類（例えば、音声データ、映像データ、サーチ用の映像データ、トランスポートストリームのデータ、AUXデータを示すデータ）を示す所定の値が設定され、ｂ4乃至ｂ0には、そのメインデータの詳細を示す所定の値が設定される。
【００６１】
ｂ7乃至ｂ5における値０は、メインデータが、MPEG２に準拠したプログラムエレメンタリストリーム（PES）のフォーマットに準拠した映像データ（PES映像データ）であることを示し、値１は、PESのフォーマットに準拠した音声データ（PES音声データ）であることを示す。この場合、ｂ4乃至ｂ0のうち、ｂ4には、データ（映像データまたは音声データ）が、パーシャル（９５バイト未満）であるかフル（９５バイト）であるかを示すデータが配置され、ｂ3乃至ｂ0には、カウント値を示すデータが配置される。
【００６２】
ｂ7乃至ｂ5における値２は、メインデータが、サーチ用データであることを示す。この場合、ｂ4乃至ｂ0のうち、ｂ4には、そのサーチ用データが映像データであるか音声データであるかを示すデータが配置される。また、ｂ3乃至ｂ1には、サーチ速度を示すデータが配置される。例えば、図１２に示すように、ｂ3乃至ｂ1における値１は、４倍速を示し、値２は、８倍速を示し、値４は、１６倍速を示し、そして値５は、３２倍速を示す。なお、回転ヘッド（ドラム）の回転数を追従型にすることによって、各倍速の適応速度（ドラム回転数に対応した速度）を広げたサーチが可能となる。また、サーチ用の映像データは、Ｉピクチャの高域成分を落とした、低ビットレートのデータである。
【００６３】
図１１に戻り、ｂ7乃至ｂ5における値３は、メインデータがAUX（補助）データであることを示す。この場合、ｂ4乃至ｂ0のうち、ｂ4乃至ｂ2には、例えば、図１３に示すように、AUXデータの種類（AUXモード）を示すデータが配置される。
【００６４】
すなわち、ｂ4乃至ｂ2における値０は、AUXデータが、PES映像データに関するAUXデータであること（図中、AUX-V）を示し、値１は、PES音声データに関するAUXデータであること（AUX-A）を示す。値２は、AUXデータが、トランスポートストリームの形態で記録されているもののうちの前半部分のデータに対応するPSI（プログラム仕様情報）であること（PES-PSI1）を示し、値３は、その後半部分のデータに対応するPSIであること（PES-PSI2）を示す。そして値４は、AUXデータが、図１４，１５に示すような、それぞれキーワード番号が設定されている所定のデータ（システムデータと称する）であること（System）を示す。なお、詳細は後述するが、図１４は、そのデータ量が固定のシステムデータを示しており、図１５は、そのデータ量が可変するシステムデータを示している。
【００６５】
図１１に再度戻り、ｂ7乃至ｂ5における値４は、メインデータがトランスポートストリームの形態で記録されているもののうちの前半部分であることを示す。この場合、ｂ4，ｂ3には、ジャンプフラグが配置され、ｂ2乃至ｂ0には、タイムスタンプが配置される。また、ｂ7乃至ｂ５における値５は、メインデータがトランスポートストリームの形態で記録されているもののうちの後半部分であることを示す。この場合の、ｂ4乃至ｂ0には、カウント値が配置される。
【００６６】
ｂ7乃至ｂ5における値６は、メインデータとして何のデータも記録されていないことを示す。すなわち、NULLを示す。このNULLは、メインデータの平均総量が記録可能レートより少ない時に挿入される。例えば、トランスポートストリーム記録でレートが２０Mbpsの場合、約５Mbps分のNULLが挿入される。
【００６７】
上述したSBヘッダのデータは、端子３から、コントローラ１３より供給される。
【００６８】
メインセクタのメインデータは、映像データ圧縮部１より供給される映像データ、音声データ圧縮部２より供給される音声データ、若しくは端子３を介してコントローラ１３から供給されたAUXデータ（システムデータ）である。
【００６９】
ここで、システムデータ（SBヘッダのｂ7乃至ｂ5に、値３で設定され、かつ、ｂ4乃至ｂ2に値０（AUX-V）、値１（AUX-A）、または値４（System）が設定されたメインセクタにメインデータとして記録されるAUXデータ）のパケット構造について説明する。
【００７０】
システムデータは、図１４に示すような固定長のものである場合、図１６（Ａ）に示すように、キーワード番号などを含むヘッダ部（１バイトのキーワード）と、そのキーワード番号に対応するシステムデータを格納するデータ部（固定長（４バイト））から構成される。また、システムデータが、図１５に示すような可変長のものである場合、図１７（Ａ）に示すように、ヘッダ部（１バイトのキーワード）、データ長を示すデータ長部（１バイト）、およびデータ部（可変長（ｎバイト））から構成される。
【００７１】
また、この例の場合、複数のシステムデータをメインセクタに記録することもできる。この場合、システムデータが固定長であるときは、図１６（Ｂ）乃至（Ｄ）に示すように、また、可変長であるときは、図１７（Ｂ）乃至（Ｄ）に示すように、複数のヘッダ部が設けられる。
【００７２】
ヘッダ部の１バイト（ｂ7乃至ｂ0の８ビット）のうち、ｂ7には、他のヘッダ部が続いて配置されるか否かを示すデータが配置される。例えば、図１６の例での、ヘッダ部Ｆ1（図１６（Ａ））、ヘッダ部Ｆ12（図１６（Ｂ））、ヘッダ部Ｆ23（図１６（Ｃ））、またはヘッダ部ＦK（図１６（Ｄ））のように、また図１７の例での、ヘッダ部Ｘ1（図１７（Ａ））、ヘッダ部Ｘ12（図１７（Ｂ））、ヘッダ部Ｘ23（図１７（Ｃ））、またはヘッダ部ＸK（図１７（Ｄ））のように、次に、他のヘッダ部が配置されていないヘッダ部のｂ7には、値０が設定される。
【００７３】
一方、図１６の例での、ヘッダ部Ｆ11、ヘッダ部Ｆ21，Ｆ22、またはヘッダ部Ｆ31・・・（ヘッダ部ＦKを除く）のように、また、図１７の例での、ヘッダ部Ｘ11、ヘッダ部Ｘ21，Ｘ22、またはヘッダ部Ｘ31・・・（ヘッダ部ＸKを除く）のように、次に、他のヘッダ部が配置されるヘッダ部のｂ7には、値１が設定される。
【００７４】
また、ヘッダ部のｂ7乃至ｂ0のうち、ｂ6乃至ｂ0に配置されるデータは、先頭に配置されるヘッダ部（図１６の例では、ヘッダ部Ｆ1、ヘッダ部Ｆ11、ヘッダ部Ｆ21、またはヘッダ部Ｆ31、図１７の例では、ヘッダ部Ｘ1、ヘッダ部Ｘ11、ヘッダ部Ｘ21、またはヘッダ部Ｘ31）と、２番目以降に配置されるヘッダ部（図１６の例では、ヘッダ部Ｆ12、ヘッダ部Ｆ22,Ｆ23、またはヘッダ部Ｆ32乃至ＦK、図１７の例では、ヘッダ部Ｘ12、ヘッダ部Ｘ22，Ｘ23、またはヘッダ部Ｘ32乃至ＸK）で異なる。
【００７５】
先頭に配置されるヘッダ部の、ｂ6乃至ｂ0のうち、ｂ6には、システムデータが固定長であるか可変長であるかを示すデータが配置される。すなわち、図１６におけるヘッダ部Ｆ1、ヘッダ部Ｆ11、ヘッダ部Ｆ21、またはヘッダ部Ｆ31のｂ6には、固定長であることを示す値０が設定され、図１７における、ヘッダ部Ｘ1、ヘッダ部Ｘ11、ヘッダ部Ｘ21、またはヘッダ部Ｘ31のｂ6には、可変長であることを示す値１が設定される。
【００７６】
先頭に配置されるヘッダ部の、残りのｂ5乃至ｂ0には、図１４に示すキーワード番号（０番乃至６３番）、すなわち、固定長のシステムデータのキーワード番号が設定される。
【００７７】
一方、２番目以降の配置されるヘッダ部の場合、そのｂ6乃至ｂ0には、図１５に示すキーワード番号（６４番乃至１２７番）、すなわち、可変長のシステムデータの番号が設定される。
【００７８】
図１８は、上述した、先頭のヘッダ部（図１８（Ａ））および２番目以降のヘッダ部（図１８（Ｂ）））のｂ7乃至ｂ6に配置されるデータをまとめて示している。
【００７９】
図１９は、固定長のシステムデータ（図１４，１６）を、図２０は、可変長のシステムデータ（図１５，１７）を、ビット配列に対応して表したものである。
【００８０】
なお、上述したシステムデータは、後述するサブコードセクタにサブコードデータとしても記録される。
【００８１】
パリティＣ１（図９）は、各シンクブロックごとに、ID、SBヘッダ、およびメインデータから、誤り符号ID付加部５において計算され、付加される。
【００８２】
１４１シンクブロックのうちの最後の１８シンクブロックは、シンク、ID、パリティＣ２およびＣ１とされる。パリティＣ２は、図９において、SBヘッダまたはメインデータを、それぞれ縦方向に計算することで求められる。この演算は、誤り符号ID付加部５において行われる。なお、１８シンクブロックにすることより、パリティＣ２のシンクブロックの数の割合が、シンクブロックの数（１４１）に対して、１２．７％（＝１８／１４１）となり、連続エラーの訂正能力を２トラック以上にするために必要な比率（１２．５％（＝２トラック／１６トラック））より大きくすることができる。
【００８３】
図２１は、２４−２５処理前の、メインデータとして記録されるAUXデータ、映像データ、音声データ、サーチデータ、パリティＣ１、およびパリティＣ２の平均値を表している。
【００８４】
AUXデータ、映像データ、音声データ、そしてサーチデータに対する平均値としてのシンクブロック数は、それぞれ、7.5シンクブロック、113シンクブロック、1.75シンクブロック、そして7.5シンクブロックとなる。すなわち、平均値としてのビットレートは、下記のように求められる。
AUXデータ＝95バイト×0.75SB×300トラック×８ビット＝171kbps
映像信号＝95バイト×113SB×300トラック×８ビット＝25.764Mbps
音声信号＝95バイト×1.75SB×300トラック×８ビット＝339kbps
サーチデータ＝95バイト×7.5SB×300トラック×８ビット＝1710kbps
結局、その合計は、28.044（＝171kbps＋25.764Mbps＋339kbps＋1710kbps）Mbps
となり、MP@HLまたはMP@H-14によるHD映像データ、音声圧縮データ、AUXデータ、サーチ用の映像データを記録するのに充分なレートとなる。なお、９５バイトは、１シンクブロックにおけるSBヘッダとメインデータのデータ量である。
【００８５】
メインセクタの次には、１２５０ビットのサブコードセクタ（図７）が配置されている。このサブコードセクタの構成は、図２２に示されている。
【００８６】
１トラックのサブコードセクタは、１２５０ビットの長さ（２４−２５変換後の長さ）で、１０個のサブコードシンクブロックで構成されている。
【００８７】
１サブコードシンクブロックは、１６ビットのシンク、２４ビットのID、４０ビットのサブコードデータ、および４０ビットのパリティにより構成されている。すなわち、１サブコードシンクブロックの長さは、１２０ビット（２４−２５変換される前の値）であり、上述したメインセクタの１シンクブロックの長さ（８８８ビット）に対して、約１／７の長さである。このように、データ長さを短くすることより、例えば、２００倍速程度の高速再生においても、サブコードシンクブロックの内容を確実に読み取ることができるようになり、高速サーチが可能となる。
【００８８】
シンクは、メインセクタに付加されるシンクとは異なるものであり、このシンクにより、メインセクタとサブセクタを識別することができる。また、シンクは、図２のシンク発生部７により付加される。
【００８９】
シンクブロックのIDは、図２３（Ａ）に示すように、１バイト毎の、３つのID0乃至ID2から構成されている。
【００９０】
ID0には、図１０（Ａ）のメインセクタのID0と同じように、フォーマットタイプおよびトラックペア番号がそれぞれ定義されている。
【００９１】
ID１のｂ7乃至ｂ0のうち、ｂ3乃至b0には、サブコードシンクブロックの番号が配置される。b7乃至b4は、予備ビットである。
【００９２】
シンクブロック番号は、１トラックのサブコードセクタに含まれる１０個のサブコードシンクブロックのそれぞれに与えられる、０番乃至９番の番号である。
【００９３】
ID2には、メインセクタにおけるID2と同様に、オーバーライトプロテクトが配置される。なお、サブコードセクタにおいては、このID2に、記録されているデータが、下地のものであることが示されている場合、シンクブロックを全て無効にして（取得できなかったものとして）処理が実行される。
【００９４】
図２３（Ｂ）は、１０のサブコードシンクブロックに含まれるID0乃至ID2が示されている。ID0乃至ID2は、誤り符号ID付加部５により付加される。
【００９５】
サブコードシンクブロックのIDの次に配置されているサブコードデータは、図１４に示した、いわゆる固定長のシステムデータとされる。すなわち、図１６，１９に示したような形態で、記録される。また、サブコードデータは、例えば、ユーザテープの場合とPre-RECテープの場合で、その種類が異なる。ユーザテープの場合は、図２４（Ａ）に示すように、テープ位置情報（ATNF）、タイトルタイムコード（TTC）、記録年月日、または記録時間がサブコードデータとされ、Pre-RECテープの場合は、図２４（Ｂ）に示すように、テープ位置情報、タイトルタイムコード、パート番号、またはチャプター開始位置がサブコードデータとされる。すなわち、Pre-RECテープの場合、ユーザテープの場合における記録年月日に代えて、パート番号が、そして記録時刻に代えて、チャプター開始位置がサブコードデータに含まれる。
【００９６】
サブコードデータは、図２の端子３を介して、コントローラ１３から供給される。
【００９７】
図２５は、DVフォーマット（従来）のサブコードシンクのID、およびサブコードデータのデータ構成を示している。本発明において記録されるデータ位置情報（ATNF中のEPO）等が記録されるようになされていない。
【００９８】
サブコードデータの次には、４０ビットのパリティが付加されている。このパリティは、誤り符号ID付加部５により付加されるものである。
【００９９】
サブコードセクタの次には、ポストアンブル（図７）が配置される。このポストアンブルも、図８に示したパターンＡとパターンＢを組み合わせることで記録される。その長さは、６０×１０００／１００１Hzに同期するとき１５００ビットとされ、５０Hzに同期するとき１３７５ビットとされる。
【０１００】
次に、図１４および図１５に示したシステムデータについて、詳細に説明する。
【０１０１】
図１４には、上述したように、固定長のシステムデータが、キーワード番号とともに示されている。例えば、キーワード番号が４番のテープ位置情報（ATNF）は、２３ビットの絶対位置（ATN）、１ビットのブレークフラグ（Ｂフラグ）、および８ビットの編集情報からなる固定長のシステムデータである。
【０１０２】
絶対位置（ATN）は、トラックの、テープ先頭からの距離（絶対位置）(Absolute Track number)を示す。
【０１０３】
Ｂフラグは、絶対位置（例えば、番号）が連続しているときに”０”が立ち、連続していないときに”１”が立つフラグである。このことより、記録が混在し、絶対位置が連続していない場合においても、単調増加の番号を付与することができるようになる。すなわち、番号戻りがないので、サーチを的確に行うことができる。
【０１０４】
編集情報は、図２６に示すように、ｂ7乃至ｂ0の８ビットで構成されている。ｂ7には、Ｉフラグが配置されている。Ｉフラグは、サブコードセクタに対応するメインセクタに、サーチしたい場所を示す情報（記録時に指定されている場所を示す情報）が含まれているとき、”１”が立つフラグである。これにより、サーチ位置が検出される。
【０１０５】
ｂ5には、Ｐフラグが配置されている。このＰフラグは、サブコードセクタに対応するメインセクタに、静止画の記録開始映像データが含まれている場合に、”１”が立つフラグである。これにより、静止画の記録位置が検出される。
【０１０６】
ｂ4には、ＥＨフラグが配置されている。ＥＨフラグは、サブコードセクタに対応するメインセクタに、ＩピクチャまたはＰピクチャが記録されているとき、”１”が立つフラグである。通常、繋ぎ撮り等の編集は、ＩピクチャやＰピクチャから開始されるので、このＥＨフラグにより、編集位置を検出することができる。
【０１０７】
残りのｂ3乃至ｂ0には、エディットピクチャヘッダオフセット（ＥＰＯ）が配置されている。このＥＰＯは、サブコードセクタが対応するメインセクタの位置を、１６トラックを１単位として示す。図２７を参照して、ＥＰＯについてさらに説明する。図２７の例では、TTCが値０とされているサブコードセクタについてのＥＰＯは値５であり、またそのサブコードセクタは、ECC番号（１６トラック毎の番号）が番号６の所定のトラックに配置されている。つまり、このサブコードセクタに対応するメインセクタは、サブコードセクタが配置されているトラックより、EPOの値５×１６トラック分だけ先行するトラックに配置されていることがわかる。これにより、編集点とされるＩピクチャやＰピクチャが、実際にどこのメインセクタに記録されているかを検出することができる。
【０１０８】
以上に説明したシステムデータは、上述したように、メインセクタおよびサブコードセクタに、記録される。
【０１０９】
次に、図１５に示す可変長のAUXデータについて説明する。なお、このAUXデータは、メインセクタにのみに記録される。
【０１１０】
例えば、キーワード番号が、８０番のECCＴＢ（トラックブロック）は、図２８において○印で示されている、複数のAUXデータを含むパケットであり、そこには、図１４に示される、固定長のAUXデータ（データ位置情報（ATNF）、TTCなど）なども含まれている。例えば、３バイトのオーディオモードとして、図２９に示すように、オーディオフレームサイズ（３ビット）、サンプル周期（３ビット）などが含まれ、また、ビデオモードとして、図３０に示すように、ビデオレート（２４ビット）などのデータが含まれる。さらに、DATA-Hとして、図３１に示すように、ピクチャの種類等を示す情報が含まれる。
【０１１１】
次に、図２の装置の動作について説明する。HD映像信号は、サーチ用の映像データ（サムネイルの映像データ）とともに、映像データ圧縮部１に入力され、例えば、MP@HLまたはMP@H-14方式で圧縮される。音声信号は、音声データ圧縮部２に入力され、圧縮される。端子３には、コントローラ１３から、サブコードデータ、AUXデータ、ヘッダなどが供給される。
【０１１２】
スイッチ４は、コントローラ１３により制御され、映像データ圧縮部１より出力された映像データ（サーチ用の映像データを含む）、音声データ圧縮部２より出力された音声データ、あるいは、端子３から入力されたシステムデータを、所定のタイミングで取り込み、誤り符号ID付加部５に出力することでこれらのデータを合成する。
【０１１３】
誤り符号ID付加部５は、メインセクタの図９に示す各シンクブロックに、２４ビットのIDを付加する。また、図９に示すパリティＣ１を、各シンクブロック毎に計算し、付加するとともに、１４１シンクブロックのうちの最後の１８シンクブロックには、SBヘッダとメインデータの代わりに、パリティＣ２を付加する。
【０１１４】
また、誤り符号ID付加部５は、図２２に示すように、サブコードデータの各サブコードシンクブロック毎に、２４ビットのIDを付加するとともに、４０ビットのパリティを演算し、付加する。
【０１１５】
誤り符号ID付加部５は、さらに、メインセクタの１６トラック分のデータを保持し、それらのデータを１６トラックの間でインタリーブする。
【０１１６】
２４−２５変換部６は、誤り符号ID付加部５より供給された２４ビット単位のデータを、２５ビット単位のデータに変換する。これにより、図４乃至図６に示した、周波数ｆ１，ｆ２のトラッキングのパイロット信号の成分が強く出現するようになる。
【０１１７】
シンク発生部７は、図９に示すように、メインセクタの各シンクブロックに、１６ビットのシンクを付加する。また、シンク発生部７は、図２２に示すように、サブコードセクタの各サブコードシンクブロックに、１６ビットのシンクを付加する。さらに、シンク発生部７は、図８に示すプリアンブルまたはポストアンブルのランパターンを発生する。
【０１１８】
これらのデータの付加（合成）は、より具体的には、コントローラ１３が、スイッチ８を切り換え、シンク発生部７から出力されたデータと、２４−２５変換部６が出力したデータを、適宜選択して変調部９に供給するようにすることで行われる。
【０１１９】
変調部９は、入力されたデータを、ランダマイズするとともに、DVフォーマットに対応する方式で変調し、パラレルシリアル変換部１０に出力する。パラレルシリアル変換部１０は、入力されたデータをパラレルデータからシリアルデータに変換し、増幅器１１を介して、回転ヘッド１２に供給する。回転ヘッド１２は、入力されたデータを磁気テープ２１に記録する。
【０１２０】
図３２は、以上のようにして処理された結果、磁気テープ２１に記録されている、GOP構造がＮ＝１５（１５ピクチャ毎にＩピクチャが配列される）、Ｍ＝３（３ピクチャ毎にＰピクチャが配置される）データの記録状態を示している。すなわち、Ｍの値で示される数分のピクチャを１つの単位として、そのピクチャに関連するAUXデータ（図中、Ｕで示されている部分）、そのピクチャに対応する音声データ（図中、Ａで示されている部分）、およびその音声データに関連するAUXデータ（図中、Ｘで示されている部分）が、インタリーブされる１６トラックの先頭にまとめて配置されている。そして、その後に、１単位分のピクチャ（この例の場合、３ピクチャ）が配置されている。
【０１２１】
すなわち、可変長のAUXデータを用意し、それをメインセクタに記録するようにしたので、このようにAUXデータを、所定の単位分のピクチャ毎にまとめて  記録することができ、その結果、効率よくAUXデータを記録することができる。
【０１２２】
また、サブコードセクタに、そこに記録されているAUXデータ（固定長のデータ）に対応するメインセクタまでの距離を示したEPOを記録するようにしたので、容易に対応するメインセクタを検出することができる。
【０１２３】
例えば、図３３は、目的とするTTCの値を、EPOで補正し、その値を利用して、対応するメインセクタを検出する場合の例を示している。
【０１２４】
EPOは、下記に式で求めることができる。
EPO＝編集点のサブコード_TTCの記録トラック番号／１６−
サブコード_TTCに該当するメインPIC_TTCの記録トラック番号／１６
【０１２５】
１／１６は、ECCブロック番号に変換させるためのである。また、サブコード_TTCは、１０トラックで同じデータが記録されているため平均フレーム単位にオフセット値を求める。
【０１２６】
これにより、サーチ走行中事前（該当TTCに達したとき）に目標位置を検出することができる。なお、この場合、オフセットのヒストリ情報が必要になる（プリ再生を短くするためにはECCＴＢを用意する必要がある）。
【０１２７】
また、インタリーブされる１６トラックの先頭に、AUXデータとしてのECCＴＢ（図中、Ｈで示されている部分）を配置するようにしたので、例えば、繋ぎ撮りで行われるプリ再生時間を短くすることができる。つまり、本来プリ再生に必要なAUXデータは、サブコードセクタに記録されているが、上述したように、サブコードセクタは、対応するメインセクタに対して時間的に遅れて配置されているので、それを参照すれば、その分だけ多くの時間がかかってしまう。
【０１２８】
図３４は、ピクチャに関連するAUXデータ（Ｕ）と音声データに関するAUXデータ（Ｘ）、ECCＴＢ、およびサブコードに含まれるデータをまとめたものである。
【０１２９】
図３５は、別方式でEPOを生成する例である。この例の場合、EPOは、下記の式で求めることができる。
【０１３０】
EPO＝ECC内のトラック先頭（＝サブコード_TTC−メインPIC_TTC）  これにより、EPOのヒストリ情報が無くても繋ぎ記録することができる。なお、サーチ走行中、該当TTCに達した後オフセット補正をしたTTC（目標位置）に近づいて行く必要がある。
【０１３１】
また、図３５の例では、TTCが値０とされているサブコードセクタは、ECC６（ECC番号が６番）のトラックＴ0に配置されている。つまり、ECC６のトラックＴ0から、９×１６トラック分だけ遡ることで、対応するメインセクタが、ECC０のトラックＴ0に配置されていることを検出することができる。なお、ECC６の各トラックに配置されているサブコードセクタには、Ｉピクチャが記録されているメインセクタが対応しているので、ＥＨヘッダには、”１”が立っている。
【０１３２】
図３６は、以上のようにして、磁気テープ２１に記録されたデータを再生する再生系の構成例を表している。
【０１３３】
回転ヘッド１２は磁気テープ２１に記録されているデータを再生し、増幅器４１に出力する。増幅器４１は入力信号を増幅し、A/D変換部４２に供給する。A/D変換部４２は、入力された信号をアナログ信号からデジタル信号に変換し、復調部４３に供給する。復調部４３は、A/D変換部４２より供給されたデータを、図２の変調部９におけるランダマイズに対応してデランダマイズするとともに、図２の変調部９における変調方式に対応する方式で復調する。
【０１３４】
シンク検出部４４は、復調部４３により復調されたデータから、図９示すメインセクタの各シンクブロック毎のシンク、および図２２に示すサブコードセクタの各サブコードシンクブロックのシンクを検出し、誤り訂正ID検出部４６に供給する。２５−２４変換部４５は、復調部４３より供給されたデータを、図２の２４−２５変換部６における変換に対応して、２５ビット単位から２４ビット単位のデータに変換し、誤り訂正ID検出部４６に出力する。
【０１３５】
誤り訂正ID検出部４６は、シンク検出部４４より入力されたシンクを基に、誤り訂正処理、ID検出処理、デインタリーブ処理を実行する。
【０１３６】
スイッチ４７は、コントローラ１３により制御され、誤り訂正ID検出部４６より出力されたデータのうち、映像データ（サーチ用の映像データを含む）を映像データ伸長部４８に出力し、音声データを音声データ伸長部４９に出力し、サブコードデータ、AUXデータなどのシステムデータを、端子５０からコントローラ１３に出力する。
【０１３７】
映像データ伸長部４８は、入力された映像データを伸長し、D/A変換して、アナログHD映像信号として出力する。音声データ伸長部４９は、入力された音声データを伸長し、D/A変換して、アナログ音声信号として出力する。
【０１３８】
次に、その動作について説明する。回転ヘッド１２は、磁気テープ２１に、図３２に示すような形態で記録されているデータを再生し、増幅器４１により増幅させた後、A/D変換部４２に供給する。A/D変換部４２により、アナログ信号からデジタルデータに変換されたデータは、復調部４３に入力され、図２における変調部９におけるランダマイズと変調方式に対応する方式でデランダマイズされるとともに復調される。
【０１３９】
２５−２４変換部４５は、復調部４３により復調されたデータを、２５ビット単位のデータから２４ビット単位のデータに変換し、誤り訂正ID検出部４６に出力する。
【０１４０】
シンク検出部４４は、復調部４３より出力されたデータから、図９に示すメインセクタのシンク、あるいは、図２２に示すサブコードセクタのシンクを検出し、誤り訂正ID検出部４６に供給する。誤り訂正ID検出部４６は、１６トラック分のデータを記憶し、デインタリーブ処理を行うとともに、図９に示すメインセクタのパリティＣ１，Ｃ２を利用して、誤り訂正処理を行う。さらに誤り訂正ID検出部４６は、メインセクタのSBヘッダを検出し、各シンクブロックに含まれているデータが、音声データ、映像データ、AUXデータ、サーチ用の映像データなどのいずれであるのかを判定する。
【０１４１】
誤り訂正ID検出部４６はまた、図２２に示すサブコードセクタのパリティを利用して、サブコードデータの誤り訂正処理を行うとともに、AUXデータのパケットキーワード（ヘッダ）を検出し、そのサブコードデータの内容を判定する。これにより、サブコードデータが、トラック番号を表すのか、タイムコード番号を表すのかなどが判ることになる。
【０１４２】
スイッチ４７は、誤り訂正ID検出部４６により検出されたSBヘッダに基づいて、映像データおよびサーチ用データを映像データ伸長部４８に供給する。映像データ伸長部４８は、入力されたデータを、図２の映像データ圧縮部１における圧縮方式に対応する方式で伸長し、映像信号として出力する。
【０１４３】
スイッチ４７は、音声データを音声データ伸長部４９に出力する。音声データ伸長部４９は、図２の音声データ圧縮部２における圧縮方式に対応する方式で入力された音声データを伸長し、音声信号として出力する。
【０１４４】
スイッチ４７はまた、誤り訂正ID検出部４６より出力されたAUXデータ、サブコードデータなどを端子５０から図示せぬコントローラに出力する。
【０１４５】
これにより、図３２に示したように記録されていたデータが、各ピクチャおよび音声データが伸張される。
【０１４６】
なお、以上においては、磁気テープ２１に記録された各ピクチャおよび音声データを伸張する場合を例として説明したが、それらを多重化して、MPEGデータを生成することもできる。
【０１４７】
上述した一連の処理は、ハードウエアにより実行させることもできるが、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、記録媒体からインストールされる。
【０１４８】
この記録媒体は、図２、図３６に示すように、磁気テープ記録再生装置本体とは別に、ユーザにプログラムを提供するために配布される、プログラムが記録されている磁気ディスク３１（フロッピディスクを含む）、光ディスク３２（CD-ROM(Compact Disk-Read Only Memory),DVD(Digital Versatile Disk)を含む）、光磁気ディスク３３（MD（Mini-Disk）を含む）、もしくは半導体メモリ３４などよりなるパッケージメディアにより構成されるだけでなく、装置本体に予め組み込まれた状態でユーザに提供される、プログラムが記録されているROMや、ハードディスクなどで構成される。
【０１４９】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０１５０】
【発明の効果】
以上の如く、本発明の磁気テープ記録装置、磁気テープ記録方法、および記録媒体のプログラムによれば、映像データ、音声データ若しくはサーチデータ、またはそのデータに関連する可変長の補助データの一方を第１のグループのデータとして、また第１のグループのデータに関連するサブコードを含むデータを第２のグループのデータとして、磁気テープのトラック上において、両者の間が離間せずに連続するように合成し、磁気テープに記録するために供給するようにしたので、HD映像信号のデータに代表される、データ量の多いデータを磁気テープ上にデジタル的に記録することが可能となる。
【０１５１】
本発明の磁気テープによれば、第１のグループのデータと第２のグループのデータを、トラック上において、両者の間が離間せずに連続するように記録するようにしたので、HD映像信号のデータに代表される容量の多いデータを記録した磁気テープを実現することが可能となる。
【０１５２】
本発明の磁気テープ再生装置、磁気テープ再生方法、および記録媒体のプログラムによれば、回転ヘッドにより磁気テープから再生されたデータから、第１のグループのデータとしての補助データを取得し、それに基づいて磁気テープから再生されたデータを処理するようにしたので、標準の映像データを、確実に再生することが可能となる。
【図面の簡単な説明】
【図１】  DVフォーマットのトラックセクタの構成を説明する図である。
【図２】本発明を適用した磁気テープ記録再生装置の記録系の構成例を示すブロック図である。
【図３】図２の磁気テープ２１のトラックフォーマットを説明する図である。
【図４】図３のトラックに記録されるトラッキング用のパイロット信号を説明する図である。
【図５】図３のトラックに記録されるトラッキング用のパイロット信号を説明する他の図である。
【図６】図３のトラックに記録されるトラッキング用のパイロット信号を説明する他の図である。
【図７】図３のトラックのセクタ配置を説明する図である。
【図８】図７のプリアンブルとポストアンブルのパターンを説明する図である。
【図９】図７のメインセクタの構成を説明する図である。
【図１０】図９のメインセクタのIDを説明する図である。
【図１１】図９のメインセクタのSBヘッダを説明する図である。
【図１２】サーチ速度を説明する図である。
【図１３】  AUXデータの種類を示す図である。
【図１４】固定長のシステムデータを説明する図である。
【図１５】可変長のシステムデータを説明する図である。
【図１６】固定長のシステムデータのフォーマットを説明する図である。
【図１７】可変長のシステムデータのフォーマットを説明する図である。
【図１８】ヘッダ部に定義される情報を説明する図である。
【図１９】固定長のシステムデータのフォーマットを説明する他の図である。
【図２０】可変長のシステムデータのフォーマットを説明する他の図である。
【図２１】メインセクタに記録されるデータの平均値を説明する図である。
【図２２】図７のサブコードセクタの構成を説明する図である。
【図２３】サブコードシンクブロックのIDを説明する図である。
【図２４】サブコードデータを説明する図である。
【図２５】  DVフォーマットを説明する他の図である。
【図２６】テープ位置情報を説明する図である。
【図２７】  EPOを説明する図である。
【図２８】  ECCＴＢを説明する図である。
【図２９】オーディオモードを説明する図である。
【図３０】ビデオモードを説明する図である。
【図３１】  DATA-Hを説明する図である。
【図３２】データの記録状態を説明する図である。
【図３３】サブコードセクタに対応するメインセクタを検出する処理を説明する図である。
【図３４】  AUXデータを説明する図である。
【図３５】サブコードセクタに対応するメインセクタを検出する処理を説明する他の図である。
【図３６】本発明を適用した磁気テープ記録再生装置の再生系の構成例を示すブロック図である。
【符号の説明】
１  映像データ圧縮部，  ２  音声データ圧縮部，  ５  誤り符号ID付加部，６  ２４−２５変換部，  ７  シンク発生部，  ９  変調部，  ２１  磁気テープ，  ４３  復調部，  ４５  ２５−２４変換部，  ４４  シンク検出部，  ４６  誤り訂正ID検出部，  ４８  映像データ伸長部，  ４９  音声データ伸長部
【図１】
0004395679.tif 000002
【図２】
0004395679.tif 000003
【図３】
0004395679.tif 000004
【図４】
0004395679.tif 000005
【図５】
0004395679.tif 000006
【図６】
0004395679.tif 000007
【図７】
0004395679.tif 000008
【図８】
0004395679.tif 000009
【図９】
0004395679.tif 000010
【図１０】
0004395679.tif 000011
【図１１】
0004395679.tif 000012
【図１２】
0004395679.tif 000013
【図１３】
0004395679.tif 000014
【図１４】
0004395679.tif 000015
【図１５】
0004395679.tif 000016
【図１６】
0004395679.tif 000017
【図１７】
0004395679.tif 000018
【図１８】
0004395679.tif 000019
【図１９】
0004395679.tif 000020
【図２０】
0004395679.tif 000021
【図２１】
0004395679.tif 000022
【図２２】
0004395679.tif 000023
【図２３】
0004395679.tif 000024
【図２４】
0004395679.tif 000025
【図２５】
0004395679.tif 000026
【図２６】
0004395679.tif 000027
【図２７】
0004395679.tif 000028
【図２８】
0004395679.tif 000029
【図２９】
0004395679.tif 000030
【図３０】
0004395679.tif 000031
【図３１】
0004395679.tif 000032
【図３２】
0004395679.tif 000033
【図３３】
0004395679.tif 000034
【図３４】
0004395679.tif 000035
【図３５】
0004395679.tif 000036
【図３６】
0004395679.tif 000037